(57)【特許請求の範囲】
【請求項１】
内面及び外面を有するＰＶモジュールと、
上面及び下面を有するベースと、
前記ベースの前記上面上の位置に、前記ＰＶモジュールの前記内面が前記ベースの前記上面から離間した状態で、前記ＰＶモジュールを固定する支持アセンブリと、
前記ＰＶモジュールと前記ベースとの間に配設され、前記ＰＶモジュールを前記ベースに対して平行に支持する支持ブロックと
を備え、
前記支持アセンブリは、
前記ＰＶモジュールを前記ベースに対して固定するマルチ位置ＰＶモジュール支持アセンブリを有し、
前記マルチ位置ＰＶモジュール支持アセンブリは、
前記ＰＶモジュールの一端に設けられたヒンジ支持体と、
前記ＰＶモジュールの他端に一端が枢支された支柱と、
前記支柱の他端に設けられたクリップと、
前記ベースの前記上面に設けられ、前記クリップと係合して前記ＰＶモジュールを傾斜状態に維持する相補的なクリップと
を有する、
ＰＶアセンブリ。
【請求項２】
前記ベースは、本体、並びに前記ベースの前記上面を形成するカバーを有し、
前記カバーは、導電体及び絶縁表面層を含む請求項１に記載のＰＶアセンブリ。
【請求項３】
エッジを有するデフレクタ
をさらに備え、
前記ＰＶモジュールは、エッジをさらに有し、
前記ＰＶモジュールと前記デフレクタとは、前記ＰＶモジュールの前記エッジと前記デフレクタの前記エッジとの間に空隙を形成する請求項１又は２に記載のＰＶアセンブリ。
【請求項４】
前記マルチ位置ＰＶモジュール支持アセンブリは、
前記ＰＶモジュールを前記ベースに対して、前記ベースに対するモジュール輸送角度とモジュール傾斜使用角度とで固定し、
前記モジュール傾斜使用角度は、前記ＰＶモジュールが前記ベースから離間して延伸する状態で鋭角である請求項３に記載のＰＶアセンブリ。
【請求項５】
前記支持アセンブリは、
前記デフレクタを前記ベースに対して、前記ベースに対するデフレクタ輸送角度とデフレクタ傾斜使用角度とで固定するマルチ位置デフレクタ支持アセンブリ
をさらに有し、
前記デフレクタ傾斜使用角度は、前記デフレクタが前記ベースから離間して延伸する状態で鋭角である請求項４に記載のＰＶアセンブリ。
【請求項６】
前記ＰＶモジュールと前記デフレクタとは、前記モジュール傾斜使用角度と前記デフレクタ傾斜使用角度とで固定される場合に、前記ＰＶモジュールの前記エッジと前記デフレクタの前記エッジとの間に空隙を形成する請求項５に記載のＰＶアセンブリ。
【請求項７】
前記空隙は、
前記ベースに形成された通風孔に重なるように形成されている請求項３から６のいずれか一項に記載のＰＶアセンブリ。
【請求項８】
デフレクタと、
前記デフレクタと前記ベースとの間に配設され、前記デフレクタを前記ベースに対して平行に支持する支持ブロックと
をさらに備え、
前記支持アセンブリは、
前記デフレクタを前記ベースに対して固定するマルチ位置デフレクタ支持アセンブリを有し、
前記マルチ位置デフレクタ支持アセンブリは、
前記デフレクタの一端に設けられたヒンジ支持体と、
前記デフレクタの他端に一端が枢支された支柱と、
前記デフレクタに設けられた前記支柱の他端に設けられたクリップと、
前記ベースの前記上面に設けられ、前記支柱に設けられた前記クリップと係合して前記デフレクタを傾斜状態に維持する相補的なクリップと
を有する請求項１又は２に記載のＰＶアセンブリ。
【請求項９】
前記マルチ位置デフレクタ支持アセンブリの前記相補的なクリップは、
前記ベースに形成された通風孔の近傍に位置する請求項８に記載のＰＶアセンブリ。
【請求項１０】
前記マルチ位置ＰＶモジュール支持アセンブリの前記相補的なクリップは、
前記ベースに形成された通風孔の近傍に位置する請求項１から９のいずれか一項に記載のＰＶアセンブリ。
【請求項１１】
請求項１から１０のいずれか一項に記載のＰＶアセンブリを複数備えるＰＶアセンブリのアレイ。
【請求項１２】
複数の前記ＰＶアセンブリのうちの第１ＰＶアセンブリの第１ベースの外側エッジと、前記第１ＰＶアセンブリに隣接する第２ＰＶアセンブリの第２ベースの外側エッジとは、さねはぎ相互結合部材を使用して固定され、
前記第１ベースの前記外側エッジ及び前記第２ベースの前記外側エッジに交差する通風孔が形成されている請求項１１に記載のＰＶアセンブリのアレイ。
【発明の詳細な説明】
【技術分野】
【０００１】
本発明は、建築物のルーフ又はその他の支持面に取付けられた光起電（ＰＶ）アセンブ
リの技術に関する。
【背景技術】
【０００２】
建築物のルーフ又はその他の支持面に取付けられた光起電（ＰＶ）アセンブリのアレイ
を介して移動する空気によって、ＰＶアセンブリに作用する風揚力が発生する。風揚力を
最小化するために、ＰＶアセンブリのアレイの設計と評価において多大な努力が行われて
いる。
【０００３】
米国特許第５，３１６，５９２号、同５，５０５，７８８号、同５，７４６，８３９号
、同６，０６１，９７８号、および同６，１４８，５７０号を参照。風揚力を低減するこ
とによっていくつかの利点が提供される。
【０００４】
第１に、それによって、アレイの単位面積当たりの必要重量が減少する。これにより、
アレイの重量を支えるための支持面を強化する必要性が減少又は除去され、従って、改造
設置が容易になるとともに、改造構造と新構造との両方のコストが減少する。第２に、そ
れによって、ルーフ膜（又はその他の支持面）貫通ファスナの使用の必要性が減少又は除
去され、これは膜の一体性を維持することに役立つ。第３に、その重量の減少により、ア
センブリの輸送と設置コストが減少する。第４に、風揚力を相殺するためにバラストウエ
イトに依存するアセンブリよりも、軽量なＰＶアセンブリは設置が容易である。第５に、
適切に設計されるならば、前記アセンブリは、前記ルーフ膜又は支持面上の保護層として
機能して、極度の温度や紫外線放射からシールドすることができる。
【先行技術文献】
【特許文献】
【０００５】
【特許文献１】米国特許第５，３１６，５９２号
【特許文献２】米国特許第５，５０５，７８８号
【特許文献３】米国特許第５，７４６，８３９号
【特許文献４】米国特許第６，０６１，９７８号
【特許文献５】米国特許第６，１４８，５７０号
【発明の概要】
【発明が解決しようとする課題】
【０００６】
本発明の種々の態様は、（１）風揚力は、動的にかつランダムに、空間的に分布し、そ
の為、ＰＶアセンブリアレイのある特定のＰＶアセンブリに作用する風揚力は、その大き
さが急激に変化すること、そして（２）ＰＶアセンブリアレイ内の種々のＰＶアセンブリ
を相互係合することによって、１つのＰＶアセンブリに作用する風揚力が、他のアセンブ
リ、典型的には、隣接するＰＶアセンブリへと伝達されるという発見と認識に基づくもの
である。
【課題を解決するための手段】
【０００７】
本発明の第１の態様は、支持面に取付け可能な均圧化光起電（ＰＶ）アセンブリアレイ
に関する。各ＰＶアセンブリは、ベースと、ＰＶモジュールと、このＰＶモジュールを、
前記ベースの上面上の位置に固定する支持アセンブリとを有する。前記ベースには通風孔
が貫通形成されている。前記ＰＶモジュールの外面から、該ＰＶモジュールの周部エッジ
を通過して、前記通風孔の少なくとも１つを通って、前記ベースの下面へ、均圧化路が延
出している。これによって、前記ＰＶモジュールの外面と前記ベースの下面との間に、Ｐ
Ｖアセンブリに作用する風揚力を低減するのに役立つ均圧状態が提供される。前記通風孔
は、前記周部エッジに対してほぼ整列または位置一致させることができる。前記周部エッ
ジから前記通風孔の少なくとも１つへと延出する前記通路の少なくとも一部分は、妨げら
れない通路部分とすることができる。前記通風孔の少なくとも１つは、前記ベースの外縁
部と前記支持アセンブリとの間に位置させることができる。前記ベースは、典型的には金
属カバーの形態で電気伝導体と、更に、電気伝導体間の電気接地コネクタとを備えること
ができる。前記複数のＰＶアセンブリは、たとえば、隣接するＰＶアセンブリの前記ベー
スを相互係合させる等によって、互いに係合させることができる。前記ベースは、主部と
、カバーとを備えることができ、隣接するＰＶアセンブリの前記ベース同士は、隣接ベー
スの前記カバー同士を固定することによって相互係合することができる。前記ＰＶモジュ
ールは、傾斜したＰＶモジュールとすることができ、前記支持アセンブリは、前記ＰＶモ
ジュールを輸送および傾斜使用角度に固定するマルチ位置支持アセンブリとすることがで
きる。前記アレイは、更に、デフレクタと、該デフレクタを輸送及び傾斜使用角度で前記
ベースに対して固定するマルチ位置デフレクタ支持体とを備えることができる。前記通風
孔の少なくとも１つは、前記傾斜状態のＰＶモジュールとデフレクタとの互いに対向する
部分間に形成される空隙とほぼ垂直方向に位置合わせされることができ、導管によってこ
の空隙と前記筋少なくとも１つの通風孔とを流体接続することができる。前記アレイは、
周囲アセンブリによって包囲することができ、この周囲アセンブリは、複数の周囲部材を
含むことができる。これら周囲部材は、通常、互いに、かつ、隣接するＰＶアセンブリに
対して固定される。前記アレイの上方、下方又は、それを通って延出する、或いは、これ
らの組み合わせで、前記アレイの下方を通過延出するクロスストラッピングを使用して、
１つの周囲部材を、隣接しない周囲部材に対して固定することができる。
【０００８】
本発明の第２の態様は、支持面と、該支持面に取付けられた複数の均圧化光起電（ＰＶ
）アセンブリのアレイとを有するＰＶシステムに関する。各ＰＶアセンブリは、ベースと
、ＰＶモジュールと、このＰＶモジュールを、前記ベースの上面上の位置に固定する支持
アセンブリとを有する。前記ベースには通風孔が貫通形成されている。前記ＰＶモジュー
ルの外面から、該ＰＶモジュールの周部エッジを通過して、前記通風孔の少なくとも１つ
を通って、前記ベースの下面へ、均圧化路が延出している。これによって、前記ＰＶモジ
ュールの外面と前記ベースの下面との間に、ＰＶアセンブリに作用する風揚力を低減する
のに役立つ均圧状態が提供される。互いに隣接するＰＶアセンブリの周部エッジ同士は、
約ｄの平均距離で互いに分離されている。前記支持面は、交互する凸部と凹部を備える表
面を有することができる。前記ＰＶアセンブリのアレイの下方の前記凹部内には、充填部
材を使用することができる。
【０００９】
本発明の第３の態様は、支持面上に使用される、ＰＶアセンブリに関する。各ＰＶアセ
ンブリは、ベースと、ＰＶモジュールと、このＰＶモジュールを、前記ベースの上面上の
位置に固定するモジュール支持アセンブリとを有する。前記ＰＶモジュールは、前記モジ
ュール支持体によって前記ベースに対して第１角度で配向され、デフレクタは、デフレク
タ支持体によって前記ベースに対して第２角度で配向される。ＰＶモジュールとデフレク
タとの位置は、両者の間の間隙を規定する。前記ベースには通風孔が貫通形成されている
。前記ＰＶモジュールの外面から、前記空隙を通過して、前記通風孔の少なくとも１つを
通って、前記ベースの下面へ、均圧化路が延出している。これによって、前記ＰＶモジュ
ールの外面と前記ベースの下面との間に、ＰＶアセンブリに作用する風揚力を低減するの
に役立つ均圧状態が提供される。前記モジュール支持体と前記デフレクタ支持体とは、前
記モジュールと前記デフレクタとを、前記ベースに対して輸送および傾斜使用角度で支持
するマルチ位置モジュールおよびデフレクタ支持体とすることができる。少なくとも１つ
の導管によって、前記空隙と少なくとも１つの通風孔との間を流体接続することができる
。前記空隙と通風孔との間の前記均圧通路の部分は、直接の、妨げられない通路であり、
該通路部分は、又、前記モジュール支持アセンブリによって少なくとも部分的に形成され
ることが可能な狭窄漏出通路部分とすることも可能である。
【００１０】
本発明の第４の態様は、交互の凸部と凹部とを備える支持面と、該支持面に取付けられ
た複数の均圧光起電（ＰＶ）アセンブリのアレイとを有するＰＶシステムに関する。各Ｐ
Ｖアセンブリは、ベースと、ＰＶモジュールと、このＰＶモジュールを、前記ベースの上
面上の位置に固定する支持アセンブリとを有する。前記ベースには、前記ＰＶモジュール
の中心と前記支持アセンブリとの間に通風孔が貫通形成されている。前記ＰＶモジュール
の外面から、該ＰＶモジュールの周部エッジを通過して、前記通風孔を通って、前記ベー
スの下面へ、均圧化路が延出している。これによって、前記ＰＶモジュールの外面と前記
ベースの下面との間に、ＰＶアセンブリに作用する風揚力を低減するのに役立つ均圧状態
が提供される。前記ＰＶアセンブリのアレイの下方の前記凹部内には、充填部材を使用す
ることができる。前記ベースを貫通して、前記周部エッジとほぼ一致する位置に、第２の
通風孔を形成することができる。前記ベースの下面と前記支持面との間で前記凹部内に断
熱材を設けることができる。周囲アセンブリを使用して、前記ＰＶモジュールのアレイを
包囲することができる。
【００１１】
本発明の第５の態様は、支持面に対して取り付け可能な複数の均圧化光起電（ＰＶ）ア
センブリのアレイに作用する風揚力を低減する方法に関する。各ＰＶアセンブリは、ベー
スと、ＰＶモジュールと、このＰＶモジュールを、前記ベースの上面上の位置に固定する
支持アセンブリとを有する。前記方法は、前記ベースを貫通する通風孔を形成し、前記Ｐ
Ｖモジュールの外面から、前記周部エッジを通過して、少なくとも１つの通風孔を通り、
前記ベースの下面へと延出する均圧化路を形成する工程を有する。前記通風孔のうちの少
なくとも一部は、前記周部エッジとほぼ一致して位置合わせすることができる。前記均圧
化路は、この通路の前記周部エッジから通風孔へ延出する通路部分が、妨げられない通路
部分として形成されるにように形成することができる。前記ＰＶモジュールは、前記ベー
スに対してある角度で配向され、デフレクタを前記ベースに対してある角度で設置し、こ
れらモジュールおよびデフレクタが、それらの間に空隙を形成する部分を有するようにす
ることができる。少なくとも１つの中空導管を使用して、前記空隙と通風孔との間を流体
接続することができる。
【００１２】
本発明の第６の態様は、交互に凸部と凹部を備える支持面に対して取り付け可能な複数
の均圧化光起電（ＰＶ）アセンブリのアレイに作用する風揚力を低減する方法に関する。
各ＰＶアセンブリは、ベースと、ＰＶモジュールと、このＰＶモジュールを、前記ベース
の上面上の位置に固定する支持アセンブリとを有する。前記方法は、前記ベースを貫通す
る通風孔を形成し、前記ＰＶモジュールの外面から、前記周部エッジを通過して、少なく
とも１つの通風孔を通り、前記ベースの下面へと延出する均圧化路を形成する工程を有す
る。前記方法は、更に、前記ＰＶアセンブリのアレイの下方で前記凹部を、たとえば断熱
材などによって実質的に充填する工程を有することができる。前記通風孔のうちの少なく
とも一部は、複数のＰＶモジュールのそれぞれに対して、ＰＶモジュールの中心と前記支
持アセンブリとの間の位置に配置することができる。
【００１３】
前記ＰＶアセンブリのベースに前記通風孔を設けることによって、風揚力を減少又は除
去する均圧状態が提供される。前記アレイを建築物のルーフ上に適切に位置決めすること
も、風揚力を減少させることに役立つ。風揚力を低減することによっていくつかの利点が
提供される。第１に、それによって、アレイの単位面積当たりの必要重量が減少する。こ
れにより、アレイの重量を支えるための支持面を強化する必要性が減少又は除去され、従
って、改造設置が容易になるとともに、改造構造と新構造との両方のコストが減少する。
第２に、それによって、ルーフ膜（又はその他の支持面）貫通ファスナの使用の必要性が
減少又は除去され、これは膜の一体性を維持することに役立つ。第３に、その重量の減少
により、アセンブリの輸送と設置コストが減少する。第４に、風揚力を相殺するためにバ
ラストウエイトに依存するアセンブリよりも、軽量なＰＶアセンブリは設置が容易である
。又、ベースを有するＰＶアセンブリを使用することによって、ＰＶアセンブリが、支持
面を、太陽、風、雨等の影響から保護することに役立つことが可能となり、又、前記ベー
スが断熱材を含む場合は、支持面の断熱性が増大する。更に、ＰＶアセンブリを相互係合
し、このＰＶアセンブリの相互係合状態を維持することは、１つのＰＶアセンブリに作用
する揚力が隣接するＰＶアセンブリへと伝達されて、それによって風揚力を相殺するのに
役立つことを確実にすることにも役立つ。
【００１４】
本発明のその他の特徴および利点は、その好適実施例が貼付の図面を参照して詳細に説
明されている下記の記述から明らかになるであろう。
【図面の簡単な説明】
【００１５】
【図１】図１は、建築物の水平ルーフに取付けられたＰＶアセンブリのアレイを示す簡略化平面図である。
【図２】図２は、図１の建築物の高さと、前記ルーフ面を包囲する欄干の高さとを示す簡略化側面図である。
【図３】図３は、図１の３−３線に沿った断面図であって、図示の目的のために、ベースの底面は支持面から離間して図示されている。
【図４】図４は、図３の２つのＰＶモジュール間の接続部を示す拡大図である。
【図５】図５は、図４に図示の構造の別実施例である。
【図６】図６は、図１のＰＶアセンブリのアレイの一部の平面図であり、前記ベースに貫通形成された通風孔の位置と、ＰＶモジュールをベースの上方で支持する支持アセンブリを図示している。
【図７】図７は、図６の７−７線に沿った簡略化断面図である。
【図８】図８は、通風孔が隣接するベース間の接続部に形成されている本発明の別実施例を図示する図６に類似の図である。
【図９】図９は、図８の９−９線に沿った拡大断面図である。
【図１０】図１０は、図３のＰＶアセンブリの別実施例の側面図であり、Ｚタイプの支持アセンブリの使用を図示している。
【図１１】図１１は、図１０のＰＶアセンブリの一部の拡大図であり、ベースとＰＶモジュールとの間の低−ｅ膜の使用を図示している。
【図１２】図１２は、前記ベース間の相互係合が、１つのベースを隣接するベースに対して固定することによって達成される、図４の構造の別実施例を図示している。
【図１３】図１３は、隣接するベースの導電性カバーが、隣接するＰＶアセンブリを互いに固定する作用も有する電気接地接続部を介して互いに電気的に固定されている更に別の実施例を図示している。
【図１４】図１４は、ＰＶモジュールが、そのフレキシブルＰＶパネルの必要な支持を提供するＰＶパネル補強部材に取付けられたフレキシブルＰＶパネルを有するＰＶアセンブリの簡略化側面図である。
【図１５】図１５は、バラスト部材が周囲パン内に収納された、図３の周囲アセンブリの別実施例を図示している。
【図１６】図１６は、隣接するＰＶアセンブリに固定された一体周囲部材を使用する更に別の周囲アセンブリを図示している。
【図１７】図１７は、ＰＶアセンブリのアレイを包囲してベルト状周囲アセンブリを形成する周囲部材の相互接続を図示する簡略化平面図である。
【図１８】図１８は、離間した周囲部材を互いに固定するためのクロスストラッピングの使用を示す、ベルト状周囲アセンブリの更に別の実施例である。
【図１９】図１９は、図１８の１９−１９線に沿った断面図であり、隣接する周囲パンの重なりを図示している。
【図２０】図２０は、図１８の２０−２０線に沿った断面図であり、クロスストラッピングの１つの周囲部材に対する接続と、ＰＶモジュールとベースとの間のクロスストラッピングの通過とを図示している。
【図２１】図２１は、ＰＶモジュールがベースに対してある角度で配置され、ＰＶアセンブリが、傾斜したデフレクタを有し、前記ＰＶモジュールと前記デフレクタとの上方エッジ間に空隙が形成されている、本発明の別実施例の簡略化側面図である。
【図２２】図２２は、図２１のＰＶアセンブリの平面図であって、ベースに貫通形成された通風孔の位置を図示している。
【図２３】図２３は、通風孔と空隙との間に通風孔導管が使用されている、図２１のＰＶアセンブリの別構成を図示している。
【図２４】図２４は、ＰＶモジュールとデフレクタとのための支持アセンブリが、空隙と通風孔との間の狭窄流路を形成するのに役立つ、図２１のＰＶアセンブリの別実施例の平面図である。
【図２５】図２５は、ＰＶモジュールとデフレクタとのための支持アセンブリが、空隙と通風孔との間の狭窄流路を形成するのに役立つ、図２２のＰＶアセンブリの別実施例の側面図である。
【図２６】図２６は、支持アセンブリが、ＰＶモジュールとデフレクタとを図２７の傾斜使用状態と、図２８の輸送状態とで位置決めすることを可能にするマルチ位置支持アセンブリである、図２４と図２５とのアセンブリの別実施例の上面図である。
【図２７】図２７は、支持アセンブリが、ＰＶモジュールとデフレクタとを図２７の傾斜使用状態と、図２８の輸送状態とで位置決めすることを可能にするマルチ位置支持アセンブリである、図２４と図２５とのアセンブリの別実施例の側面図である。
【図２８】図２８は、支持アセンブリが、ＰＶモジュールとデフレクタとを図２７の傾斜使用状態と、図２８の輸送状態とで位置決めすることを可能にするマルチ位置支持アセンブリである、図２４と図２５とのアセンブリの別実施例の側面図であり、図２８は、更に、輸送と保管中にＰＶモジュールを支持するのに役立つ輸送ブロックの使用も図示している。
【図２９】図２９は、図２１および図２２の傾斜ＰＶアセンブリと使用され、少なくともＰＶモジュールとデフレクタの上方延出エッジによって作り出される三角形開口部を実質的にカバーするようにパンから上方に延出するエンドキャップを有する、周囲部材の一部を図示している。
【図３０】図３０は、前記パン内に収納されたバラスト部材を含む、図２９の構造の側面図である。
【図３１】図３１は、図３０の周囲アセンブリの別実施例を図示している。
【図３２】図３２は、交互に凸部と凹部とを備える支持面に取付けられたＰＶアセンブリのアレイを図示する簡略化平面図である。
【図３３】図３３は、図３２の３３−３３線に沿った簡略化断面図であって、支持面とＰＶアセンブリのベースとの間の凹部内に、断熱性とすることも可能な、ブロックの使用を図示している。
【図３４】図３４は、波形ルーフに取付けられたＰＶアセンブリと使用される周囲部材の詳細を示す側方立面図である。
【図３５】図３５は、図３４の周囲部材の長さを例示し、波形ルーフの凹部内に延出する風バッフルを図示する等角図である。
【図３６】図３６は、取付け部材を示すために囲いと風バッフルとを取り除いた状態の、図３５に類似の図である。
【図３７】図３７は、周囲アセンブリが波部に対して平行に延出する場合の図３４のものに類似の構造を図示している。
【図３８】図３８は、周囲アセンブリが波部に対して平行に延出する場合の、図３５のものに類似の構造を図示している。
【図３９】図３９は、周囲アセンブリが波部に対して平行に延出する場合の、図３６のものに類似の構造を図示している。
【図４０】図４０は、スタンディングシームルーフィングシステムに使用される周囲アセンブリの取付け部材を示し、ルーフの支持面とベースの底部との間の支持発泡材の使用を図示している。
【図４１】図４１は、ＰＶアセンブリに近接する図４０の周囲アセンブリの断面図である。
【発明を実施するための形態】
【００１６】
具体的実施例の説明
図１は、支持面１６に取付けられた複数のＰＶアセンブリ１４のアレイ１２を有するＰ
Ｖシステム１０を示し、前記支持面は、建築物１８の水平ルーフである。アレイ１２は、
周囲アセンブリ２０によって取り囲まれている。図２に図示されているように、建築物１
８は高さＨを有し、欄干２２は欄干高さＰを有する。ＰＶアセンブリ１４は、図３に図示
されているように、それらの当接エッジに沿って互いに接続されている。この相互接続は
、前記アレイに対して作用する風揚力のために重要である。前記アレイ１２中の任意の特
定のＰＶアセンブリ１４に作用する風揚力の大きさは、急速に時間変化し、その結果、１
つのＰＶアセンブリに対する風揚力は、隣接のＰＶアセンブリに対する風揚力に対して、
遥かに大きい、又は遥かに小さいものとなる可能性がある。従って、１つのＰＶアセンブ
リを持ち上げようとする大きな揚力は、この１つのＰＶアセンブリを持ち上げることが、
隣接するＰＶアセンブリの重量によって抵抗を受ける傾向があるために相殺される。
【００１７】
風洞実験によって、ＰＶモジュール２４のアレイ１２が、建築物１８のルーフ１６上の
所望の位置にあるか否かを決定することが可能であることが判っている。風洞実験は、対
象となる実際のＰＶモジュールを使用して行われる。集められたデータは、種々のルーフ
位置、典型的には、１つのエッジの近く（エッジ位置）、２つのエッジの近く（コーナー
位置）、エッジの近く以外（中間ルーフ位置）での使用に適したチャート形態で提供する
ことができる。たとえば、欄干の高さが４０ｃｍで建築物の高さが３０ｍとすると、中間
ルーフ位置での最大３秒間の突風速度は、１２０〜１４０ｍｐｈ（風の方向による）の範
囲であり、コーナー又はエッジ位置の場合は、最大３秒間の突風速度は、約１００から１
１０ｍｐｈ（風の方向による）の範囲となるであろう。
【００１８】
図３および図４に図示されているように、各ＰＶアセンブリ１４は、支持アセンブリ２
８によってベース２６の上方に支持されたＰＶモジュール２４を有する。支持アセンブリ
２８は、ＰＶモジュール２４とベース２６とに接着又はその他の方法で固定された離間し
た支持部材２９を有する。ベース２６は、ダウケミカル社のポリスチレンや、ＧＥプラス
チック社のＮｏｒｙｌ  ＰＰＯ（ポリフェニレンオキシド）等の断熱発泡材から形成する
ことができる本体３０と、ベースカバー３２とを有する。ベースカバー３２は、ベース２
６の強度を増加させること、本体３０を、太陽光に対する露出による劣化から保護するこ
と、更に、隣接するベース同士を互いに固定して、それらが分離しないようにし、それに
よって一体化の利点を失わないようにすること等の複数の作用を提供することができる。
ベースカバー３２は、フッ化ポリビニリデン（ＰＶＤＦ）樹脂コーティング金属からなる
導電性金属シートカバーとすることができる。ＰＶＤＦ樹脂は、ＫＹＮＡＲ（登録商標）
フッ化ポリビニリデン（ＰＶＤＦ）樹脂として、ペンシルバニア州、フィラデルフィアの
ＡＴＯＦＩＮＡケミカル社から入手可能である。或いは、ベースカバー３２は、たとえば
、亜鉛メッキ鋼、スチール、亜鉛・アルミニウム合金又はアルミニウムから形成すること
も可能である。カバー３２は、たとえば、ＰＶＤＦ樹脂、Ｃｏｌｌｏｉｄ  Ｒｅｓｅａｒ
ｃｈ，Ｉｎｃ．のＮｏｒｙｌ  ＰＰＯ，ＡＳＡ  ６０６アクリルペイント、又は、ＩＣＳ
Ｔｅｃｈｎｏｌｏｇｉｅｓのセラミック充填樹脂コーティング、又はＭａｓｔｅｒ  Ｂ
ｏｎｄ  Ｉｎｃ．のＥＰ２１ＬＶエポキシの電気絶縁性表面コーティングを備えたものと
することができる。或いは、カバー３２は、Ｎｏｒｙｌ  ＰＰＯ，ＡＳＡ  ６０６アクリ
ルペイント、セラミック充填樹脂、又はその他の非導電性材料等の電気絶縁性コーティン
グとすることができる。隣接するＰＶアセンブリ１４同士の相互係合は、各ベース２６の
本体３０に形成されたさねはぎ相互係合部材３４，３６を使用して、又は、或いは、それ
に加えて、ファスナ３８を使用してカバー３２同士を互いに物理的に固定することによっ
て、行われる。図３において破線で図示されている単数又は複数の放射バリア４０，４２
，４４を、ＰＶモジュール２４とベース２６間又はそれらに対して使用することも可能で
ある。放射バリア、典型的には、低放射率（低−ｅ）膜の使用、は、米国特許第６，０６
１，９７８号により詳細に記載されている。ＰＶモジュールに関連して断熱材を使用する
ことは、次の米国特許第５，３１６，５９２号、同５，５０５，７８８号、同５，７４６
，８３９号、および同６，１４８，５７０号に記載されている。
【００１９】
ベース２６には、ＰＶモジュール２４の外面５０から、該ＰＶモジュールの周部エッジ
５２を通過して、通風孔４６を通り、ベース２６の下面５４へと延出する均圧化路４８を
提供するべく多数の通風孔４６が形成されている。図３および４においては、ベース２６
の下面５４と支持面１６との間に空隙４６が誇張された状態で図示されている。これによ
り、風がアレイ１２上を移動して単数又は複数のＰＶアセンブリ１４上に単数又は複数の
低圧領域を形成するとき、ＰＶモジュール２４の外面５０とベース２６の下面５４との間
の差圧を、通路４８に沿った空気の通過によって少なくとも部分的に均等化することがで
きる。前記通風孔４６は、周部エッジ５２にほぼ一致した周部通風孔５８（図６を参照）
と、内部通風孔６０とを含む。周部通風孔５８は、支持アセンブリ２８と、ベース２６の
外側エッジ６６との間に位置する。周部通風孔５８を通過する均圧化路４８は、周部エッ
ジ５２から通風孔まで妨げられない。内部通風孔６０を通って延出する均圧化路は、種々
の支持部材６２，６４の位置と、ＰＶモジュール２４の中心６１と、支持部材６２，６４
（図６を参照）との間の通風孔６０の位置により、周部エッジ５２から通風孔６０まで部
分的に妨げられた通路部分を有する。
【００２０】
ＰＶモジュール２４の内面６３は、約ｈの平均距離、ベース２６の上面６５から離間し
ている。周部エッジ５２は、約ｄの平均距離、互いに離間している。比率ｄ／ｈは、好ま
しくは約０．１〜６、より好ましくは、約０．５〜３である。これらの距離ｈおよびｄは
、通常、ｈの場合、約１．３ｃｍから１０ｃｍ、ｄの場合、約１．３ｃｍから７．６ｃｍ
、の範囲であるが、それらをこれらの距離よりも大きなもの又は小さなものとすることも
可能である。
【００２１】
通風孔のサイズおよび数と、ベース２６によって提供される断熱性との間にはトレード
オフが存在する。ＰＶアセンブリ１４の周部通風孔５８が総断面積Ｖを有し、ＰＶモジュ
ール２４が断面積Ｐを有すると仮定する。Ｐに対するＶの百分率は、（１）少なくとも約
０．０２％、好ましくは、少なくとも約０．０７％、そして（２）約０．０２％から５０
％、好ましくは、約０．０５％から５％、より好ましくは約０．０７％から２％である。
このように通風孔を形成することは、ＰＶアセンブリ１４を支持面１６に取付ける必要性
を回避しながら、約５〜２５ｋｇ／ｍ２の重量を有するＰＶアセンブリ１４を使用する能
力に役立つ。又、周部通風孔５８の総断面積がｗであるならば、Ｐに対するｗの百分率は
、約０．１％から５０％、より好ましくは約０．４％から５％であることが望ましい。Ｐ
に対するｗの百分率の決定は、孔は、追加の製造工程を必要とし、しかも、発砲材の断熱
性を劣化させる為、孔を最小限にしたいという要求と、風揚力に対する抵抗を改善するた
めの孔を最大化したいという要求との間のバランスをとることが関連する。従って、Ｐに
対するｗの百分率に関する最終決定によって、通常、十分な安全マージンで、揚力に耐え
るために必要な最小の通風孔面積を決定することになる。
【００２２】
図５は、ＰＶアセンブリ６７の別実施例を図示し、ここでは、ＰＶモジュール２４は、
支持アセンブリとして接着剤を使用してベース６８に直接取付けられている。但し、ファ
スナやクリップ、又は、種々の支持構造体の組み合わせ等のその他の支持構造体を支持ア
センブリとして使用することも可能である。ベース６８は、ベース２６に類似しているが
、カバー３２が無い。又、このベース６８だけが、ＰＶモジュール２４の周部エッジ５２
とほぼ一致する周部通風孔５８を有する。
【００２３】
図８および９は、隣接するベース２６の互いに交差する外側エッジ６６に形成された通
風孔７０を図示している。このような通風孔７０も、ＰＶモジュール２４の周部エッジ５
２とほぼ一致しているものと見なされる。
【００２４】
図１０および１１は、接着剤７６によってＰＶモジュール２４に固定されたＺタイプの
支持体７４を使用したＰＶアセンブリ７２を図示している。Ｚタイプ支持体７４は、好ま
しくは、ベースカバー３２の一体ワンピース延出部である。支持体７４は、ベースカバー
３２に取付けることも可能である。低放射率（低−ｅ）膜７８は、カバー３２とＰＶモジ
ュール２４との間に位置している。
【００２５】
図１２は、各ベースに取付けられたファスナブラケット８０を使用して隣接するベース
６８を相互係合する別の方法を示し、前記ブラケットは、ナットとボルト又はリベットな
どの双頭ファスナ８２によって互いに固定されている。図１３は、ベースカバー３２が、
隣接するカバー間の電気接地接続部８４によって相互係合および電気接続されている別構
成を図示している。リジッド、フレキシブル、および弾性部材を含む、多様な相互係合部
材と電気接地接続部を使用することができる。
【００２６】
図１４は、ＰＶバネルスティフナ８８によってフレキシブルＰＶパネル８６を支持して
、自己支持型、一般にリジッドなＰＶモジュール８９を形成する構成を図示している。
【００２７】
周囲アセンブリ２０（図１および３を参照）は、一連の周囲部材９０を有する。通常、
各周囲部材９０は、ＰＶアセンブリ１４の片面と同じ長さである。周囲部材９０は、好ま
しくは、互いに固定され、これによって周囲アセンブリ２８はベルト状周囲アセンブリと
して構成されている。周囲アセンブリ２０は、（１）ＰＶアセンブリ１４が、互いにシフ
ト、又はその他の状態で側方に相対移動することを防止するのを補助することによって、
アレイ１２の空間一体性を維持すること、および（２）アレイ１２の側方エッジから空気
を偏向させることを含む複数の作用を奏する。この後者の作用は、周囲部材９０を傾斜し
た外面９２を備えた形状とし、周囲部材９０に、ＰＶモジュール２４の外面５０に対して
ほぼ同じか、それよりも高い高さにある上方エッジ９４を備えさせることによって補助さ
れる。周囲部材は、通常、リニアメートル当たり約３〜５２ｋｇ、より好ましくは、リニ
アメートル当たり約１８〜３０ｋｇの重量である。
【００２８】
図１５は、ベース部１０２に接続された外側リップ１００を備える周囲パン９８を有す
る別の周囲部材９６を図示している。ほぼＶ形状のカプラ１０４が、ベース部１０２から
延出し、これは、ファスナ１０６によってベース２６に固定することができる。周囲部材
９６は、更に、通常、コンクリート、石、又はその他の適切な重い材料からなるバラスト
部材１０８を有する。図１６は、ファスナ１１２によってベース２６に固定することが可
能な一体式周囲部材１１０を図示している。周囲部材１１０は、好ましくは、コンクリー
ト、又はプラスチックなどの成形又は鋳物材である。図１７に図示されているように、周
囲部材１１０は、ボール／ソケット式の係合部材１１４を使用して互いに固定することが
できる。
【００２９】
図１８〜２０は、周囲部材９６に類似しているが下記の相違点を有する、周囲部材１１
６を使用した周囲アセンブリの別実施例を図示している。キャップ１１８を使用してバラ
スト部材１２０をカバーし、このキャップは、周囲部材１１６の傾斜外面１２２と上方エ
ッジ１２４を形成している。カプラー１２６は、比較的簡単なＬ型の部材であり、パン１
２８から延出している。隣接する周囲部材１１６のパン１２８は、図１８および１９に図
示されているように、互いに重なり合って、周囲部材１１６間の構造的剛性を高めるのに
役立っている。図１８および２０は、又、ＰＶアセンブリ１４のアレイ１３２の両側で周
囲部材１１６の間でのクロスストラッピング１３０の使用も図示している。この実施例に
おいて、クロスストラッピング１３０は、ＰＶモジュール２４とベース２６との間を通過
する。但し、それが、完全に、ＰＶアセンブリ１４の下方、ＰＶアセンブリの上方、又は
上方、下方の組み合わせでＰＶアセンブリを通過するように構成することも可能である。
クロスストラッピング１３０は、周囲アセンブリ１３４、従って、ＰＶアセンブリ１４の
アレイ１３２の所望の形状を維持するのに役立つ。三角形等の、その他のクロスストラッ
ピング構成も使用することが可能である。
【００３０】
図２１および２２は、ベース１４０と、傾斜ＰＶモジュール１４２と、傾斜デフレクタ
１４４とを有する傾斜ＰＶアセンブリ１３８を図示し、前記ＰＶモジュールとデフレクタ
とは、一対のデュアル・パーパス支持体１５０によって、第１および第２角度１４６，１
４８で前記ベースに対して取付けられている。角度１４６は、通常約５度から３０度であ
り、角度１４８は、通常、約２０度から７０度である。モジュール１４２とデフレクタ１
４４との対向する上方エッジ１５２，１５４は、ベース１４０に形成された一組の通風孔
１５８に重なる空隙１５６を形成している。この空隙１５６は、通常、約２〜８ｃｍの幅
である。前記エッジ１５２，１５４は、通常、ベース１４０の上方でほぼ同じ距離にある
。異なる位置においてベース１４０を貫通する追加の通風孔を使用することが望ましいか
もしれないが、風洞実験によって、通風孔１５８を空隙１５６とほぼ一致する状態とし、
空隙と通風孔との間に実質的に妨げられない流路を提供することが、傾斜ＰＶアセンブリ
１３８に作用する風揚力を大幅に低減するのに有効であるようであることがわかった。
【００３１】
図２３は、図２１および２２に図示したアセンブリに対する別実施例を図示し、ここで
は、傾斜ＰＶアセンブリ１６０は、空隙１５６と通風孔１５８とを流体接続するために中
空導管１６２を使用している。流路を規制することによって中空導管１６２を使用するこ
との利点は、空隙の上方の圧力のより多くの部分が、ベースの下方へと直接伝達されるこ
とにある。
【００３２】
図２４および２５は、傾斜ＰＶアセンブリ１６６の更に別の実施例を図示し、ここでは
、支持アセンブリは、ＰＶモジュール支持アセンブリ１６８とデフレクタ支持アセンブリ
１７０とに分割されている。デフレクタ１７２は、デフレクタ支持アセンブリ１７０の外
面によって形成される。これら支持アセンブリ１６８，１７０は、折り曲げられたシート
メタルから形成され、空隙１７６と、１つのスロット状通風孔１７８との間に規制流路１
７４を形成する。ベース１８０は、デフレクタ１７２の傍に通路１８２を提供する幅広ベ
ースである。アレイ内において、ＰＶアセンブリの全部を、通路１８２を提供するための
幅広ベースを備えたものとして構成する必要はない。
【００３３】
図２６および２７は、図２４および２５の実施例に類似の傾斜ＰＶアセンブリ１８６を
図示しているが、ここでは、マルチ位置ＰＶモジュール支持アセンブリ１８８とマルチ位
置デフレクタ支持アセンブリ１９０とが使用される。支持アセンブリ１８８は、ＰＶモジ
ュール１４２の一端部のヒンジ支持体１９２と、モジュール１４２の上方エッジ１５２近
くに枢支された支柱１９４とを有する。アセンブリ１８８は、更に、支柱１９４の外側端
部のクリップ１９６と、通風孔１７８の中空延出部２００の近傍に位置する相補的なクリ
ップ１９８も備える（図２８を参照）。前記デフレクタ支持アセンブリ１９０は類似の支
持構造を有する。アセンブリ１８６が図２７の傾斜使用状態にある時、両クリップ１９６
，１９８が係合して、風負荷下で前記傾斜状態を維持する。図２８は、輸送状態のＰＶモ
ジュール１４２とデフレクタ１４４を図示し、この状態において、ＰＶモジュール１４２
とデフレクタ１４４とは、ベース１４０に対してほぼ平行で、前記両角度１４６，１４８
は、ほぼ約０度又は約１８０度となる。図２８の輸送状態におけるモジュール１４２の支
持を補助するために、ＰＶモジュール１４２とベース１４０との間に輸送ブロック２０２
が配設されており、デフレクタ１４４とベース１４０の間にも類似の支持ブロックを使用
することができる。前記使用状態および輸送状態のいずれか又は両方においてＰＶモジュ
ール１４２とデフレクタ１４４を安定化し支持するためのその他の手段を使用することも
できる。又、前記支柱１９４を、第１角度１４６を変化させるべき長さに調節可能に構成
することもできるが、このためには、デフレクタ支持アセンブリ１９０を、第２角度１４
８の調節を可能とするように調節可能にすることが必要となるかもしれない。
【００３４】
図２９および３０は、バラスト部材２０６を備えた、図１５の周囲部材９６に類似の、
エンドキャップ周囲部材２０４の使用を図示している。その主要な相違点は、カプラ部材
９６が大幅に拡大されて、ＰＶモジュール１４２とデフレクタ１４４との上方延出エッジ
２１０および２１２によって作り出されるほぼ三角形の開口部を少なくとも実質的にカバ
ーするサイズのエンドキャップカプラ２０８を形成していることにある。図３１は、図２
９および３０の周囲部材に類似の周囲部材２１４を図示している。この周囲部材２１４は
、図１９および２０に図示したものに類似の、傾斜エンドキャップ２１６と、ベース１４
０との相互係合のためのさねはぎ相互係合領域２１８とを有する。周囲部材２０４，２１
４によって、傾斜したＰＶアセンブリのためのエンドキャップが提供されるが、これらの
エンドキャップは周囲部材とは別体に設けることも可能である。
【００３５】
図３２は、ＰＶアセンブリ２２２のアレイ２２０を図示する平面図である。ここに図示
されているＰＶアセンブリは、カリフォルニア州、バークレーのＰｏｗｅｒ  Ｌｉｇｈｔ
ＣｏｒｐｏｒａｔｉｏｎからＰｏｗｅｒ  Ｇｕａｒｄ（登録商標）として入手可能な従
来型のアセンブリであり、図３のＰＶアセンブリに類似している。アレイ２２０は、交互
する凸部２２６と凹部２２８と、凹部２２８内の断熱支持ブロック２３０とを備える波形
ルーフ２２４によって支持されている。アレイ２２０は、図３４〜３８により詳細に図示
されている、周囲アセンブリ２３２によって包囲されている。この周囲アセンブリ２３２
は、取付け部材２３４のベース２３８を通過する従来式の波形ルーフファスナ２３６を使
用してルーフ２２４の凸部２２６に取付けられている。取付け部材２３４は、その上端部
に支持タブ２４２を備える直立部２４０と、ベース２３８と支持タブ２４２の間に側方延
出固定クリップ２４４とを有する。前記クリップ２４４は、ＰＶアセンブリ２２２のベー
ス２４８の上面２４６に係合して、ＰＶアセンブリ２２２、従って、アレイ２２０をルー
フ２２４に固定することを補助する。ベース２４８は、拡張したポリスチレン本体２４９
をカバーする固定材から成る上面２４６を備えた従来式の構造である。
【００３６】
Ｌ型風バッフル部材２５０が、取付け部材２３４のベース２３８に固定され、これは、
周囲アセンブリ２３２の下方で凹部２２８の大部分を充填するように寸法および形状構成
された一連の下方延出風バッフル２５２を備える。周囲アセンブリ２３２は、更に、支持
タブ２４２とベース２３８との間に延出するカバー２５４を備える。このカバー２５４は
、傾斜外面２５６を有する。周囲アセンブリ２３２は、ＰＶアセンブリ２２２のＰＶモジ
ュール２６２の外面２６０とほぼ面一又はその上方にある上方エッジ２５８を有する。図
３７〜３９は、取付け部材２６４を図示し、これらの取付け部材２６４は、凹部２２８に
対して平行に延出するアレイ２２０の側方に沿って位置決め周囲アセンブリ２３２を収納
するべく取付け部材２３４から改造されたものである。その主要な相違点は、取付け部材
２６４のベース２６６は、遥かに長く、直立部２４０の両側へと延出していることにある
。
【００３７】
図４０および４１は、スタンディングシーム（ｓｔａｎｄｉｎｇ  ｓｅａｍ）すなわち
凸部２７０と、パンすなわち凹部２７２とを備えるスタンディングシームルーフィングシ
ステム２６８を図示している。凹部２７２は、ルーフィングシステム２６８のための断熱
性を提供するとともに、ＰＶアセンブリ２２２のアレイと通路タイプの周囲アセンブリ２
７６を支持するための断熱支持発砲材２７４から成るブロックによって効率的に充填され
ている。周囲アセンブリ２７６は、ベース２４８に類似して形成され、ＰＶアセンブリ２
２２のアレイの回りの通路を提供する舗装材料２７８を有する。この包装材料２７８の外
側周部エッジ２８２にはＬ型フラッシング（重ね継ぎ）２８０が係合し、これは、ドイツ
、コブレンツのＨｏｕｇｏｖｅｎｓ  Ａｌｕｍｉｎｕｍ  Ｂａｕｓｙｓｔｅｍｅ  Ｇｍｂ
ＨからＫａｌ−Ｚｉｐブラケットとして入手可能なものなどの、ブラケット２８４によっ
てスタンディングシーム部２７０に固定されている。舗装材料２７８のエッジ２８８に沿
って、アセンブリ２２２に隣接する状態で傾斜カバー２８６が取付けられている。この傾
斜カバー２８６は、ＰＶモジュール２６２の外面２６８と少なくとも同じ高さ、又はその
上方に位置する上方エッジ２９０を有する。
【００３８】
図３３〜４１の実施例は、建築物表面の凹部内における断熱発砲ブロックの使用を示す
ものである。ポリエチレンベースのスプレー発砲断熱材等、その他のタイプの材料、好ま
しくは、断熱材を使用することも可能である。
【００３９】
ベース２６には、使用時において、ＰＶモジュール２４の外面５０から、周部エッジ５
２を通過して、前記通風孔の少なくとも１つを通り、ベースの下面５４まで延出する単数
又は複数の均圧化路４８を形成する通風孔が貫通形成されている。前記通風孔４６のうち
の少なくとも一部は、周部エッジ５２とほぼ一致した状態に配置することができる。均圧
化路４８は、周部エッジ５２から通風孔４６へと延出するこの通路部分が、妨げられない
通路部分となるように形成することができる。たとえば、図４，９，２１および２４を参
照。図２１〜３１に図示されているように、ＰＶモジュール１４２は、ベース１４０に対
して角度１４６を有して配置することができ、デフレクタ１４４は、ベースに対して角度
１４８を有して配置することができ、これらモジュールとデフレクタが、それらの間に空
隙１５６を形成する上方エッジ１５２，１５４を備えたものとすることができる。少なく
とも１つの中空導管１６２を使用して、空隙１５６と通風孔１５８とを流体接続すること
ができる。前記ＰＶアセンブリのアレイは、支持面、通常は、水平ルーフに取付けられる
が、傾斜した支持面を使用することも可能である。取付けは、通常、たとえ、ＰＶアセン
ブリの重量が平方メートル当たり約１０ｋｇから平方メートル当たり４０ｋｇ、好ましく
は、平方メートル当たり約１５ｋｇから平方メートル当たり２５ｋｇの範囲であったとし
てもＰＶアセンブリを前記支持面に取付けるためのファスナを必要とすることなく達成す
ることが可能である。これは、上述したように、通風孔と、均圧化流路との使用、および
、ＰＶアセンブリの相互係合体を維持し、かつアレイのエッジから風が偏向することを補
助する周囲アセンブリの使用によって可能である。所望の場合、支持面貫通ファスナ又は
接着剤、又はそれらの組み合わせを使用することも可能である。
【００４０】
ＰＶアセンブリのアレイが、交互に凸部と凹部とを備えた支持面に取付けられる場合に
は、取付け手順は幾分異なる。ＰＶアセンブリのアレイの周部の下方の凹部は、通常、風
デフレクタによって満たされる。好ましくは、断熱のために、又、アレイの支持を補助す
るために、アレイの下方の凹部には、断熱材が配置される。但し、その断熱材の位置は、
たとえば、すべてのエッジから最初のメートル（ｔｈｅ  ｆｉｒｓｔ  ｍｅｔｅｒ）の位
置などの、アレイの周部位置に限定することができる。前記通風孔の少なくとも一部は、
ＰＶモジュールの中心と、複数のＰＶモジュールのそれぞれの支持アセンブリとの間の位
置に配置することができる。
【００４１】
下記の請求項に定義される本発明から逸脱することなく開示した実施例に対して種々の
改造、改変を行うことが可能である。
【００４２】
上述したすべての特許、出願および刊行物が参考として援用される。
【図１】
0005385447.tif 000002
【図２】
0005385447.tif 000003
【図３】
0005385447.tif 000004
【図４】
0005385447.tif 000005
【図５】
0005385447.tif 000006
【図６】
0005385447.tif 000007
【図７】
0005385447.tif 000008
【図８】
0005385447.tif 000009
【図９】
0005385447.tif 000010
【図１０】
0005385447.tif 000011
【図１１】
0005385447.tif 000012
【図１２】
0005385447.tif 000013
【図１３】
0005385447.tif 000014
【図１４】
0005385447.tif 000015
【図１５】
0005385447.tif 000016
【図１６】
0005385447.tif 000017
【図１７】
0005385447.tif 000018
【図１８】
0005385447.tif 000019
【図１９】
0005385447.tif 000020
【図２０】
0005385447.tif 000021
【図２１】
0005385447.tif 000022
【図２２】
0005385447.tif 000023
【図２３】
0005385447.tif 000024
【図２４】
0005385447.tif 000025
【図２５】
0005385447.tif 000026
【図２６】
0005385447.tif 000027
【図２７】
0005385447.tif 000028
【図２８】
0005385447.tif 000029
【図２９】
0005385447.tif 000030
【図３０】
0005385447.tif 000031
【図３１】
0005385447.tif 000032
【図３２】
0005385447.tif 000033
【図３３】
0005385447.tif 000034
【図３４】
0005385447.tif 000035
【図３５】
0005385447.tif 000036
【図３６】
0005385447.tif 000037
【図３７】
0005385447.tif 000038
【図３８】
0005385447.tif 000039
【図３９】
0005385447.tif 000040
【図４０】
0005385447.tif 000041
【図４１】
0005385447.tif 000042